(57)【要約】 【課題】  調べ物をしたり、お茶を飲んだり、あるいは２，３人が立って雑談もできるリフレッシュ専用の多目的家具を提供すること。【解決手段】  テーブル４が円板の一部が切り欠かれたほぼ円形状をなし、切り欠かき部側がパネル２と連結固定されるとともに、収納キャビネット６上面に連結固定され、収納キャビネット６を平面視テーブル４の投影面積内に収まる多角状のボックス体として構成することで、このテーブル４に数人が集合してコミニュケーションを行う場所として都合が良く、テーブル４下の投影面積内に収納キャビネット６が収まるので、足が突き当たらないような空間を確保でき、収納キャビネット６、テーブル４、掲示板等として利用可能なパネル２が集約されて配備されるので多目的家具としての利便性が高い。【選択図】  図１
2005074190.tif 000002
【特許請求の範囲】
【請求項１】
床面に立設したパネルに取付けたテーブルの下部空間に収納キャビネットを配置した多目的家具であって、前記テーブルは円板の一部が切り欠かれた形状をなして該切り欠かれた部分側が前記パネルと連結固定されるとともに、前記収納キャビネットの上面と連結固定され、前記収納キャビネットは前記テーブルの投影面積内に収まる断面が多角状のボックス体であることを特徴とする多目的家具。
【請求項２】
前記収納キャビネットは前記パネルに対して所定距離離して配設されている請求項１に記載の多目的家具。
【請求項３】
前記パネルの前記テーブル下方側に載置棚が設けられている請求項２に記載の多目的家具。
【請求項４】
前記収納キャビネットは支持杆を介して前記パネルに固定されている請求項１ないし３の何れかに記載の多目的家具。
【請求項５】
前記収納キャビネットは少なくとも一側面側に開放可能な開閉部を有し、該収納キャビネットの中心に対して点対称となる位置に前記テーブルとの連結固定手段が設けられている請求項１ないし４の何れかに記載の多目的家具。
【請求項６】
前記収納キャビネットは断面が正方形状であり、連結固定手段が収納キャビネット上面４隅に設けられている請求項５に記載の多目的家具。
【請求項７】
前記パネルの少なくとも背面側には本立てラックが設けられている請求項１ないし６の何れかに記載の多目的家具。
【発明の詳細な説明】
【技術分野】
【０００１】
本発明は、床面に立設したパネルに取付けたテーブルの下部空間に収納キャビネットを配置した多目的家具に関する。
【背景技術】
【０００２】
従来、家やオフィス等において、ワーカが仕事の合間に息抜きする空間に配備した多目的家具として、事務机、キャビネット、テーブル等と間仕切（ローパーティション）を連結した家具は知られていた。この家具は間仕切があるために、仕事に対して集中できるとともに、仕事の合間に息抜きして、例えば手足を伸ばしたり軽いリラックス運動を行っても、間仕切のため他のワーカからの視界から遮断され利便性に富んでいた（特許文献１、２参照）。
【０００３】
【特許文献１】特開平１０−７７７０７号公報（第１図）
【特許文献２】特開平１０−７７７０８号公報（第１図）
【発明の開示】
【発明が解決しようとする課題】
【０００４】
しかしながら、従来のこのような家具は仕事をしている机で席を離れることなくその場でリラックスを図ろうとしているために、気分転換に限度があり、机の上には仕事上の書類等があるために２，３人の人が集まって雑談するテーブル代わりにはならず、しかも、間仕切があるため人が話しかけ辛い不便さがあった。
【０００５】
本発明は、このような問題点に着目してなされたもので、調べ物をしたり、お茶を飲んだり、あるいは２，３人が立って雑談もできるリフレッシュ専用の多目的家具を提供することを目的とする。
【課題を解決するための手段】
【０００６】
上記の目的を解決するために、本発明の請求項１に記載の多目的家具は、床面に立設したパネルに取付けたテーブルの下部空間に収納キャビネットを配置した多目的家具であって、前記テーブルは円板の一部が切り欠かれたほぼ円形状をなして該切り欠かれた部分側が前記パネルと連結固定されるとともに、前記収納キャビネットの上面と連結固定され、前記収納キャビネットは前記テーブルの投影面積内に収まる断面が多角状のボックス体であることを特徴としている。
この特徴によれば、テーブルの形状がほぼ円形状であるのでパネル部を除いた部分に数人の人が集まって雑談等をするのに都合が良く、この場合、多角状のボックス体である収納キャビネットは円形状のテーブルの投影面積内に収まっているので、足が収納キャビネットに突き当たらないような空間が確保できる。また、例えばＤＶＤや磁気ディスク等検索のための資料が収められている収納キャビネット、メモを取ったりコーヒカップ等小物が置けるテーブル、パソコンや薄形液晶表示体等を掛けたり、掲示板としても利用可能なパネルが集約配備されているので多目的家具としての利便性が高い。
【０００７】
本発明の請求項２に記載の多目的家具は、請求項１に記載の多目的家具であって、前記収納キャビネットは前記パネルに対して所定距離離して配設されていることを特徴としている。
この特徴によれば、パネルと収納キャビネット間に空間が形成されるので、例えばテーブル上のコーヒメーカーやパネルに掛けられたパソコン（ＰＣ）等の電源コードを余裕をもって這わせることができる。
【０００８】
本発明の請求項３に記載の多目的家具は、請求項２に記載の多目的家具であって、前記パネルの前記テーブル下方側に載置棚が設けられていることを特徴としている。
この特徴によれば、載置棚にコンセントボックスやＰＣ用部品を置くことができる。
【０００９】
本発明の請求項４に記載の多目的家具は、請求項１ないし３のいずれかに記載の多目的家具であって、前記収納キャビネットは支持杆を介して前記パネルに固定されていることを特徴としている。
この特徴によれば、パネルは上方がテーブルを介して収納キャビネットに、下方が支持杆を介して収納キャビネットに固定されているので、床面に安定した立設状態が保てる。
【００１０】
本発明の請求項５に記載の多目的家具は、請求項１ないし４のいずれかに記載の多目的家具であって、前記収納キャビネットは少なくとも一側面側に開放可能な開閉部を有し、該収納キャビネットの中心に対して点対称となる位置に前記テーブルとの連結固定手段が設けられていることを特徴としている。
この特徴によれば、収納キャビネットの開閉部が壁等でふさがれる場合にテーブルに対する収納キャビネットの取付位置を変えることができる。
【００１１】
本発明の請求項６に記載の多目的家具は、請求項５に記載の多目的家具であって、前記収納キャビネットは断面が正方形状であり、連結固定手段が収納キャビネット上面４隅に設けられていることを特徴としている。
この特徴によれば、収納キャビネットは９０°毎にテーブルに対する取付け位置を変えることができる。
【００１２】
本発明の請求項７に記載の多目的家具は、請求項１ないし６のいずれかに記載の多目的家具であって、前記パネルの少なくとも背面側には本立てラックが設けられていることを特徴としている。
この特徴によれば、少なくともパネルの背面に本立てラックがあれば、テーブルで雑談している人達を邪魔することなく新聞や雑誌等を取り出すことができる。
【発明を実施するための最良の形態】
【００１３】
本発明の実施例を以下に説明する。
【実施例１】
【００１４】
本発明の実施例を図面に基づいて説明すると、先ず図1は本発明の第１実施例における多目的家具の外観斜視図、図２の（ａ）は多目的家具の正面図、（ｂ）は多目的家具の側面図であり、図３は多目的家具の平面図である。
【００１５】
図1には、本発明の実施例としての多目的家具１が示されており、この多目的家具１は、床面Ｆに立設したパネル２前面の所定高さ位置には円板状のテーブル４が一対のブラケット５を介して水平に連結固定されている。
【００１６】
このテーブル４は、パネル２との連結部４ａがパネル２の幅と略同じ幅で直線状に切り欠かれていて、この連結部４ａとパネル２前面との間にはコード類が通過可能な切欠溝４ｂが形成されており、テーブル４の下部空間には平面視４角状のボックス体で構成された収納キャビネット６がテーブル４の投影面積内に収まるように配置されている。
【００１７】
尚、この収納キャビネット６は、テーブル４の投影面積内に収まる形状であれば、平面視において正方形または矩形或いは台形ないしは三角形でも良く、断面が多角形の収納ボックス体であればその形状に限定されるものではない。
【００１８】
そして、この収納キャビネット６は、図２に示すように４本の支持脚８によって高さ調整可能に支持されると共にパネル側の下方側面は、パネル２の下部と２本の支持杆１０ａ，１０ｂによって所定距離はなれた状態で固定されている。
【００１９】
そして、収納キャビネット６の内部には、例えばＤＶＤや磁気ディスク等検索のための資料や、コーヒカップ等の小物類が収納できるようになっており、外周の３側面が木目状の側板で構成されると共に残りの正面に形成される開口部は、透明なガラス扉６ａによって開閉自在に構成すると、外から中が見えるので取り出すのに都合がよい。
【００２０】
更に、前述したテーブル４は、図３に示すように、収納キャビネット６上面の連結固定手段となる複数の支持脚１２を介して支持されており、これら支持脚１２は、収納キャビネット６の中心に対して点対称となるような位置に配設されている。従って、支持脚１２が３つの場合、パネル２をそのままの位置にして収納キャビネット６のみを１２０度回転させて取り付けることができる。このように構成することで、例えば収納キャビネット６の開閉自在のガラス扉６ａが壁等に向き合うように配置しなければならない状態を回避できる。
【００２１】
一方、パネル２は、図１、図２に示されるように、２本の立設する脚柱１４ａ、１４ｂと、脚柱１４ａ、１４ｂ間に取付けられるパネル板１５とから構成されており、テーブル４下方側のパネル２前面にはコンセントボックスやＰＣ用部品（パワーユニット等）を載置する載置棚１６がブラケット1７等の周知の固着手段を介して支持されている。
【００２２】
更に、パネル２前面のテーブル４上方には、事務用品などの小物類を載置する載置台１８が取付けられると共に、載置台１８上方のパネル板１５の前面側が広報書類Ｐなどを掲示する掲示板として使用され、所定高さのパネル２上部には蛍光ランプなどの照明器具Ｌが取付けられる。
【００２３】
また、パネル２の背面側の上下には、図２（ｂ）に示すように、雑誌や新聞などを立て掛ける複数の本立てラック２０が配設されており、この本立てラック２０は雑誌等の下面を受ける受け台２０ａと、その上方に配置される倒れ防止となる支持枠２０ｂから構成されている。
【００２４】
このようにして構成された多目的家具１は、オフィス等において、小人数（２〜３人）のワーカが仕事の合間に息抜きするコミニュケーションの場としてオフィス等の空間に配備して使用されるようになっており、ワーカが多目的家具１のテーブル４の周囲に集合して使用する際には、多角状の収納キャビネット６が円形状のテーブルの投影面積内に収まっているので、ワーカの足が収納キャビネット６に突き当たらないような空間を確保することができる。
【００２５】
また、多目的家具１は、例えばＤＶＤや磁気ディスク等検索のための資料を収めることができる収納キャビネット６の他に、メモを取ったりコーヒカップ等の小物を置くことができるテーブル４、パソコンや薄形液晶表示体等を掛けたり、掲示板としても利用することができるパネル２が集約配備されているので利便性が高い。
【００２６】
更に、収納キャビネット６が、２本の支持杆１０ａ，１０ｂによってパネル２の下部に固定され、パネル２に対し所定距離離して配設されることでパネル２と収納キャビネット６の間に空間が形成され、例えばテーブル４上のコーヒメーカーやパネル２に掛けられたパソコン（ＰＣ）等の電源コードを、余裕をもって這わせることができる。
【００２７】
そして、パネル２は、収納キャビネット６から所定距離はなれた位置に２本の支持杆１０ａ，１０ｂによって固定されているので、床面Ｆに対し安定した立設状態を保つことができる。なお、このパネル２と収納キャビネット６の間の空間は必ず必要であるというものではなく、場合によっては収納キャビネット６とパネル２を当接状態にして配置してもよい。
【００２８】
そしてまた、パネル２の背面側の上下には雑誌等を立て掛ける複数の本立てラック２０が配設されているので、パネル２の背面に本立てラック２０があれば、テーブル４を囲んで雑談している人達の邪魔になることなく雑誌等を取り出すことができる。
【００２９】
次に、他の実施例に付き説明する。
【実施例２】
【００３０】
図４は本発明の第２実施例における多目的家具の外観斜視図、図５の（ａ）は第２実施例における多目的家具の正面図、（ｂ）は同じく多目的家具の側面図である。尚、第１実施例における構成と同一構成については、同一符号を付して重複する説明を省略する。
【００３１】
本実施例における多目的家具は、パネル構造のみが異なるものであり、図４、図５（ａ），（ｂ）には本発明の第２実施例としての多目的家具１１が示されており、この多目的家具１１は、比較的高さの低いパネル２２が使用されており、このパネル２２の前面には円板状のテーブル４が一対のブラケット５を介して水平に連結固定されている。
【００３２】
テーブル４の下部空間における投影面積内には、断面正方形状の収納キャビネット６が収まるようにテーブル４が配置されており、このテーブル４は収納キャビネット６上面における正方形の４隅、すなわち収納キャビネット４の中心に対して点対称となる位置に配設された４本の支持脚１２を介して支持されており、パネル２２の位置を変えずに収納キャビネット６の向きを９０度づつ変更することができるように構成されている。
【００３３】
本実施例では、実施例１において正面を向くように構成された収納キャビネット６のガラス扉６ａが壁面や窓側を向く配置となる場合に、図４に示すように、ガラス扉６ａの向きが横向きになるよう収納キャビネット６を９０度回転させた状態で４本の支持脚１２によりテーブル４下面に取付けたものである。
【００３４】
テーブル４に一対のブラケット５を介して水平に連結固定されたパネル２２は、背面側の上下に雑誌Ｍなどを立て掛けるべく、受け台２０ａと支持枠２０ｂから成る複数の本立てラック２０が配設されている。
【００３５】
このようにして構成された本実施例としての多目的家具１１は、断面正方形状の収納キャビネット６上面の中心に対して点対称となる４つの位置にテーブル４を支持する脚柱１４ａ，１４ｂが設けられているので、収納キャビネット６のガラス扉６ａが壁等でふさがれる場合等にテーブル４に対する収納キャビネット６の取付位置を９０度毎に変えることができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００３７】
【図１】本発明の第１実施例における多目的家具の外観斜視図である。
【図２】（ａ）は多目的家具の正面図、（ｂ）は多目的家具の側面図であり、図３は多目的家具の平面図である。
【図３】多目的家具の平面図である。
【図４】本発明の第２実施例における多目的家具の外観斜視図である。
【図５】（ａ）は第２実施例における多目的家具の正面図、（ｂ）は同じく多目的家具の側面図である。
【符号の説明】
【００３８】
１                多目的家具
２                パネル
４                テーブル
４ａ              連結部
４ｂ              切欠溝
５                ブラケット
６                収納キャビネット
６ａ              ガラス扉
８                支持脚
１０ａ，１０ｂ    支持杆
１１              多目的家具
１２              支持脚
１４ａ，１４ｂ    脚柱
１５              パネル板
１６              載置棚
１７              ブラケット
１８              載置台
２０              ラック
２０ａ            受け台
２０ｂ            支持枠
２２              パネル
Ｆ                床面
Ｌ                照明器具
Ｍ                雑誌
Ｐ                広報書類
【図１】
2005074190.tif 000003
【図２】
2005074190.tif 000004
【図３】
2005074190.tif 000005
【図４】
2005074190.tif 000006
【図５】
2005074190.tif 000007